(57)【要約】【課題】本発明の課題は、用土を供給するだけで、滅菌・殺虫処理を行い他の容器等に送り出してくる園芸用土の滅菌・殺虫装置を提供することである。【解決手段】本発明の園芸用土解し装置は、水平に対して傾斜し、架台に回転可能に支持された円筒又はドラムと、この中に入れられた用土を撹拌すると同時に傾斜に沿って下方向に送り出すために円筒又はドラムの回転を行う回転駆動手段と、円筒又はドラムの内側に用土を供給する用土供給口と、撹拌され送付される用土を滅菌・殺虫する滅菌・殺虫手段を有することを特徴とする。【選択図】図１
2012110292.tif 000002
【特許請求の範囲】
【請求項１】
架台１００と、水平に対して傾斜し、前記架台に回転可能に支持された円筒又はドラムと、前記円筒又はドラムの中に入れられる用土を撹拌すると同時に前記傾斜に沿って下方向に送り出すために前記円筒又はドラムの回転を行う回転駆動手段と、前記円筒又はドラムの中に用土を供給する用土供給容器と、前記撹拌され送付されるときに前記用土を滅菌・殺虫する滅菌・殺虫手段を有することを特徴とする園芸用土の滅菌・殺虫装置。
【請求項２】
前記架台に固定され、前記円筒又はドラムを支持する穴部を有するか、又は複数片を有するところの前記円筒又はドラム支持具と、前記円筒又はドラムに固定され、前記円筒又はドラム支持具に回転移動可能に接触することで、前記円筒又はドラムが前記円筒又はドラム支持具から抜け落ちないようにするところの抜け落ちストッパを有することで前記円筒又はドラムを前記架台に回転可能に支持したことを特徴とする請求項１記載の園芸用土の滅菌・殺虫装置。
【請求項３】
前記用土供給容器は、前記用土を外部から供給するための上穴と、前記円筒又はドラムに前記用土を供給する下穴と、前記下穴に挿入板の挿入状態により前記下穴の間口を調節できる穴調節手段を備えたことを特徴とする請求項１又は請求項２記載の園芸用土の滅菌・殺虫装置。
【請求項４】
前記円筒又はドラムの回転中に前記用土が滑らずに持ち上げられて上側にて落下することで攪拌を行わせるために、前記円筒又はドラムは、前記円筒又はドラムの側内面から立ち上るように備えられ、長さ方向に伸びた複数の板片からなる用土滑り防止板を有することを特徴とする請求項１から請求項３のいずれか１つに記載の園芸用土の滅菌・殺虫装置。
【発明の詳細な説明】
【技術分野】
【０００１】
本発明は、使用済みの園芸用土を滅菌・殺虫を行い再使用するための園芸用土の滅菌・殺虫装置に関するものである。
【背景技術】
【０００２】
園芸用土は、一度使用すると、用土の中に細菌が繁殖或いは、夜とう虫などの植物をク荒らす虫が成虫或いは卵の形で存在する。そのため、そのまま次の植栽に使うと植物に障害を引き起こす。これを予防する目的で、使用前に用土を加熱処理することはよく知られている。特許文献１では、表土を掘り起こして採取し、滅菌・殺虫して戻す機械装置が提案されているが、畑のような土壌に適用するものなので、大掛かりな装置となっている。ポット等に使用された用土は、掘り起こすなど余分処理は不要であり、単に滅菌・殺虫を行える装置が欲しいのであるが、これに対応する装置は知られていない。
【先行技術文献】
【特許文献】
【０００３】
【特許文献１】特開平８−８５９２８
【発明の概要】
【発明が解決しようとする課題】
【０００４】
本発明の課題は、用土を供給するだけで、滅菌・殺虫処理を行い他の容器等に送り出してくる園芸用土の滅菌・殺虫装置を提供することである。
【課題を解決するための手段】
【０００５】
本発明の園芸用土の滅菌・殺虫装置は、水平に対して傾斜し、架台に回転可能に支持された円筒又はドラムと、この中に入れられた用土を撹拌すると同時に傾斜に沿って下方向に送り出すために円筒又はドラムの回転を行う回転駆動手段と、円筒又はドラムの内側に用土を供給する用土供給口と、撹拌され送付される用土を滅菌・殺虫する滅菌・殺虫手段を有することを特徴とする。
【０００６】
請求項１記載の発明は、園芸用土の滅菌・殺虫装置であって、架台１００と、水平に対して傾斜し、前記架台に回転可能に支持された円筒又はドラムと、前記円筒又はドラムの中に入れられる用土を撹拌すると同時に前記傾斜に沿って下方向に送り出すために前記円筒又はドラムの回転を行う回転駆動手段と、前記円筒又はドラムの中に用土を供給する用土供給容器と、前記撹拌され送付されるときに前記用土を滅菌・殺虫する滅菌・殺虫手段を有することを特徴とする。
【０００７】
請求項２記載の発明は、請求項１記載の園芸用土の滅菌・殺虫装置において、前記架台に固定され、前記円筒又はドラムを支持する穴部を有するか、又は複数片を有するところの前記円筒又はドラム支持具と、前記円筒又はドラムに固定され、前記円筒又はドラム支持具に回転移動可能に接触することで、前記円筒又はドラムが前記円筒又はドラム支持具から抜け落ちないようにするところの抜け落ちストッパを有することで前記円筒又はドラムを前記架台に回転可能に支持したことを特徴とする。
【０００８】
請求項３記載の発明は、請求項１又は請求項２記載の園芸用土の滅菌・殺虫装置において、前記用土供給容器は、前記用土を外部から供給するための上穴と、前記円筒又はドラムに前記用土を供給する下穴と、前記下穴に挿入板の挿入状態により前記下穴の間口を調節できる穴調節手段を備えたことを特徴とする。
【０００９】
請求項４記載の発明は、請求項１から請求項３のいずれか１つに記載の園芸用土の滅菌・殺虫装置において、前記円筒又はドラムの回転中に前記用土が滑らずに持ち上げられて上側にて落下することで攪拌を行わせるために、前記円筒又はドラムは、前記円筒又はドラムの側内面から立ち上るように備えられ、長さ方向に伸びた複数の板片からなる用土滑り防止板を有することを特徴とする。
【発明の効果】
【００１０】
以上の様に構成されているので、本発明の園芸用土の滅菌・殺虫装置では、用土供給口に投入された用土が、円筒又はドラムの中で回転攪拌され、下方に移動する間に滅菌・殺虫手段により、滅菌・殺虫され、円筒又はドラムの下側出口から送出され、再利用がなされる。
【図面の簡単な説明】
【００１１】
【図１】本発明による園芸用土の滅菌・殺虫装置の一実施態様を示す図である。
【図２】本発明による園芸用土の滅菌・殺虫装置の別の実施態様を示す図である。
【図３】本発明による園芸用土の滅菌・殺虫装置の円筒又はドラムの架台への取り付け状態の一実施態様を示す図である。
【図４】本発明による園芸用土の滅菌・殺虫装置の円筒又はドラムの内側構造を示す図である。
【発明を実施するための形態】
【００１２】
本発明による園芸用土の滅菌・殺虫装置は、水平に対して傾斜し、架台に回転可能に支持された円筒又はドラムと、この中に入れられた用土を撹拌すると同時に傾斜に沿って下方向に送り出すために円筒又はドラムの回転を行う回転駆動手段と、円筒又はドラムの内側に用土を供給する用土供給容器と、撹拌され送付される用土を滅菌・殺虫する滅菌・殺虫手段を有することを特徴とする。以下、実施例で説明する。
【００１３】
図１は、本発明による園芸用土の滅菌・殺虫装置の一実施態様を示す図である。１−Ａにおいて、架台１００と、これに回転自在に支持された円筒又はドラム１１０と、円筒又はドラムの内側に用土を供給する用土供給容器１２０と、円筒又はドラムの回転を行う回転駆動手段１３０と、撹拌され送付される用土を滅菌・殺虫する滅菌・殺虫手段１４０を有している。
【００１４】
先ず、円筒又はドラム１１０は、円形の穴を有する円筒又はドラム支持具１１１の円形穴に挿入され、回転自在に支持されている。円筒又はドラム支持具１１１は架台１００に固定されているので、円筒又はドラム１１０も架台１００に対して回転自在に支持されていることになる。円筒又はドラム支持具１１１は、図のように円形穴の開いた円板状でなくともよい。例えば、１−Ｂに示すように、円筒又はドラム１１０を3方向から支持する支持板１１１Ｂのように、回転自在に支持できるものなら使用できる。円筒又はドラム１１０は回転するが、このときに円筒又はドラム支持具１１１から抜け落ちないように、抜け落ちストッパ１１２が付いている。抜け落ちストッパ１１２は、円筒又はドラム１１０に固定され、円筒又はドラム支持具１１１に接触して引っかかっているので、抜け落ちを防止している。尚、図３は、本発明による園芸用土の滅菌・殺虫装置の円筒又はドラムの架台への取り付け状態の一実施態様を示す図であるが、このような事情が分かりやすいように、円筒又はドラム１１０、円筒又はドラム支持具１１１、抜け落ちストッパ１１２の周辺のみを拡大して示している。
尚、この例では、円筒又はドラム１１０の側面には、用土供給容器１２０の下穴１２２との相対位置に用土取り入れ穴１１３が開いている。
円筒の上端は開放穴がなく閉じていても、下端が用土送出穴として開いていれば、可能である。ドラムは、上端と下端のうち、少なくとも、下端に用土送出穴１１４を有する。
又、円筒又はドラム１１０は、回転につれ、用土が用土送出穴１１４側に移動するように、水平に対して傾斜し取り付けられるが、その傾斜角は、図においてαで示されている。この角度は、用土の移動の速さに関係するので、角度は結果を見ながら予め調節して固定しておく。なお、用土が用土送出穴１１４側に移動するようにするに、円筒又はドラム１１０を回転する例を示したが、回転の代わりに振動を加えることも効果がある。但し、振動のみでは、用土の攪拌が進みにくい。
【００１５】
用土供給容器１２０は、用土を外部から供給するための上穴１２１と、円筒又はドラム１１０に用土を供給する下穴１２２の開いた容器である。尚、１−Ｃに断面で示すように、下穴１２２には、例えば、挿入板の挿入状態により穴の間口を調節できる穴調節手段１２３を備えると、処理の送出条件を調節できて好都合である。
回転駆動手段１３０は、手動又は電気又はガソリン等のエネルギーで駆動されるモーター等のエンジン１３１とその回転を円筒又はドラム１１０に伝える回転伝達手段１３２を有する。この図では、回転伝達手段１３２は、円筒又はドラム１１０に固定された円板又はプーリー１３３と、エンジン１３１の回転軸に固定したエンジン側円板又はプーリー１３４とに掛けられた伝達ベルト１３５を有している。
【００１６】
滅菌・殺虫手段１４０は、加熱装置又は紫外線照射装置が使用できる。加熱装置では、例えば、1３０℃で加熱されるが、市販のバーナー、赤外線ランプや熱風供給器が利用できる。紫外線照射装置では、市販の紫外線ランプが使用できる。
【００１７】
このような装置では、用土供給容器１２０に投入された用土は、下穴１２２から用土取り入れ穴１１３を経由して、円筒又はドラム１１０内に落ち込み、円筒又はドラム１１０の回転により、傾斜した円筒又はドラム１１０の下側に攪拌されながら移動する。移動間、加熱装置又は紫外線照射装置などの滅菌・殺虫手段１４０により処理を受けて滅菌・殺虫
され、円筒又はドラム１１０の下側の用土送出穴から移動し、外部の容器１５０に貯められる。
【００１８】
図２は、本発明による園芸用土の滅菌・殺虫装置の別の実施態様を示す図である。
図１とほとんど同じなので、違いのみを説明する。円筒又はドラム１１０には、用土取り入れ穴１１３が円柱側面にはなく、用土供給容器１２０の下穴１２２を通過した用土が導入管２０２を介して、上端２０１に開いた用土取り入れ穴１１３Ｂから導入するようにしたものである。
【００１９】
図４は、本発明による園芸用土の滅菌・殺虫装置の円筒又はドラムの内側構造を示す図である。図１及び図２の例では、円筒又はドラム１１０については、内部については言及しなかったが、４−Ａのように単に空間４０１があいているものが考えられるが、４−Ｂのように、内部の空間に複数の用土滑り防止板４０２を有するものも備えると以下のように好都合である。４−Ａのものでは、回転につれて、土が円筒又はドラムの内面滑って攪拌されない恐れもあるが、４−Ｂでは、用土滑り防止板４０２で円周方向が区分けされているため、回転しても用土が持ち上げられて次第に上側に移動し、落下するので、攪拌が行われる。攪拌により、滅菌・殺虫が十分に行われる。尚、用土滑り防止板４０２は、円筒またはドラムの側内面から立ち上るように備え、長さ方向（中心軸に平行な方向）に伸びた板片となっている。
【産業上の利用可能性】
【００２０】
以上のように本発明に係る園芸用土の滅菌・殺虫装置では、用土供給口に投入された用土が、円筒又はドラムの中で回転攪拌され、下方に移動する間に滅菌・殺虫手段により、滅菌・殺虫され、円筒又はドラムの下側出口から送出され、再利用がなされるので、極めて有効であり産業上利用性が極めて大きい。
【符号の説明】
【００２１】
１００  架台
１１０  円筒又はドラム
１１１  円筒又はドラム支持具
１１１Ｂ  支持板
１１２  抜け落ちストッパ
１１３、１１３Ｂ  用土取り入れ穴
１１４  用土送出穴
１２０  用土供給容器
１２１  上穴
１２２  下穴
１２３  穴調節手段
１３０  回転駆動手段
１３１  エンジン
１３２  回転伝達手段
１３３  円板又はプーリー
１３４  エンジン側円板又はプーリー
１３５  伝達ベルト
１４０  滅菌・殺虫手段
１５０  外部の容器
２０１  上端
２０２  導入管
４０１  空間
４０２  用土滑り防止板
【図１】
2012110292.tif 000003
【図２】
2012110292.tif 000004
【図３】
2012110292.tif 000005
【図４】
2012110292.tif 000006